(57)【要約】      （修正有）【課題】反応室の収納ケース以外の箇所から有害成分を含む排気がリークした場合でもこのことを検出して作業者に報知することができる脱臭装置、脱臭方法および印刷システムの提供。【解決手段】脱臭装置１０が、ガスに含まれる有害成分を除去するための反応室２０が少なくとも内部に収容されたケーシング３０と、ケーシング３０内の有害成分の濃度を検出する濃度計３２と、濃度計３２により検出された有害成分の濃度が所定の閾値を超えたときに報知を行うための報知部３４とを備えている印刷機システム。【選択図】図１
2016083629.tif 000002
【特許請求の範囲】
【請求項１】
ガスに含まれる有害成分を除去するための反応室が少なくとも内部に収容されたケーシングと、
前記ケーシング内の有害成分の濃度を検出する濃度計と、
前記濃度計により検出された有害成分の濃度が所定の閾値を超えたときに報知を行うための報知部と、
を備えた、脱臭装置。
【請求項２】
前記濃度計は、前記ケーシング内の炭化水素成分の濃度を検出する炭化水素濃度計からなる、請求項１記載の脱臭装置。
【請求項３】
前記濃度計は前記反応室の入口側または出口側に設けられている、請求項１または２記載の脱臭装置。
【請求項４】
前記濃度計は前記ケーシング内の各構成部材に対応して複数設けられている、請求項１または２記載の脱臭装置。
【請求項５】
前記報知部は音声または表示により聴覚的または視覚的に報知を行うようになっている、請求項１乃至４のいずれか一項に記載の脱臭装置。
【請求項６】
前記反応室内においてガスに触媒を接触させることにより当該ガスを酸化燃焼して有害成分を除去するようになっている、請求項１乃至５のいずれか一項に記載の脱臭装置。
【請求項７】
ケーシングの内部に収容された反応室においてガスに含まれる有害成分を除去する工程と、
前記ケーシング内の有害成分の濃度を検出するための濃度計により検出された有害成分の濃度が所定の閾値を超えたときに報知を行う工程と、
を備えた、脱臭方法。
【請求項８】
印刷ユニットによりインキが表面に転写されたウエブに対して乾燥を行う乾燥装置が設けられた印刷機と、
前記印刷機の前記乾燥装置から排気されるガスに含まれる有害成分を除去するための脱臭装置と、
を備え、
前記脱臭装置は、ガスに含まれる有害成分を除去するための反応室が少なくとも内部に収容されたケーシングと、前記ケーシング内の有害成分の濃度を検出する濃度計と、前記濃度計により検出された有害成分の濃度が所定の閾値を超えたときに報知を行うための報知部とを有している、印刷システム。
【発明の詳細な説明】
【技術分野】
【０００１】
本発明は、印刷機の乾燥装置から排気されるガスに含まれる有害成分を除去するための脱臭装置、このような脱臭装置による脱臭方法、およびこのような脱臭装置および印刷機を備えた印刷システムに関する。
【背景技術】
【０００２】
グラビア印刷機やオフセット印刷機等の印刷機において、インキが表面に転写された紙やフィルム等のウエブを乾燥させるためにフローティングドライヤー等の乾燥装置が用いられるようになっている。このような乾燥装置からの排気中には有機溶剤等の有害成分が多く含まれている。しかも、印刷機における印刷スピードの高速化に伴い排気中における有害成分の含有量は多くなる傾向にある。このような有害成分を含む排気は、そのまま大気へ放出することは行政上および地球環境上の観点等から好ましくなく、脱臭装置を用いて無臭無害の排気とした後に大気へ放出するようにしている。このような脱臭装置としては、例えば特許文献１等に開示されるものが従来から知られている。
【０００３】
特許文献１に開示される脱臭装置では、反応室の収納ケース内に収納された触媒カセットに有害成分を含む排気を送り、この触媒カセットを通過させることにより当該排気を触媒で酸化燃焼させて無臭無害の排気に分解し、その後に処理済みの排気を大気へ放出するようにしている。また、特許文献１に開示される脱臭装置では、収納ケースの側面の全周囲および出口側の全周縁に、リークした排気やショートパスした排気を回収するための連続した通路を形成し、この通路を、印刷機の乾燥装置からの排気の供給系路内へ連通させている。このことにより、有害成分を含む排気が収納ケースの側面の側方を通るようなショートパスを防止して触媒との確実な酸化燃焼を図ることができ、また、リークした排気やショートパスした排気を確実に回収して給気系路へ再循環させることにより未処理排気を大気へそのまま放出しないようにすることができる。
【先行技術文献】
【特許文献】
【０００４】
【特許文献１】特開平１０−７６１４０号公報
【発明の概要】
【発明が解決しようとする課題】
【０００５】
脱臭装置における排気のダクトは熱効率の観点から断熱材により覆われている。しかしながら、脱臭装置の運転時と停止時との間での温度変化による熱疲労の影響でダクトに亀裂が生じたり、フランジ締付面のガスケットに緩みが生じたりすると、有害成分を含む排気が装置外へリークしたり、ショートパスして脱臭されずに大気へ放出されてしまったりするという問題がある。とりわけ、反応室の前で有害成分を含む排気のリークが発生すると当該排気とともにタールが漏れ出してしまい、断熱材を汚染するだけでなく、堆積したタールが高温箇所に触れることで火災が発生してしまうおそれがある。これに対し、特許文献１に開示される脱臭装置では、上述したように、収納ケースの側面の全周囲および出口側の全周縁に、リークした排気やショートパスした排気を回収するための連続した通路を形成し、この通路を排気の供給系路内へ連通させているが、このような対処方法では反応室の収納ケース付近からの有害成分を含む排気のリークのみにしか対応することができず、それ以外の箇所におけるダクトの亀裂や熱交換器のフランジ締結面のガスケットの緩みに起因する排気のリークを防止することができないという問題があった。
【０００６】
本発明は、このような点を考慮してなされたものであり、脱臭装置における反応室の収納ケース以外の箇所から有害成分を含む排気がリークした場合でもこのことを検出して作業者に報知することができる脱臭装置、脱臭方法および印刷システムを提供することを目的とする。
【課題を解決するための手段】
【０００７】
本発明の脱臭装置は、ガスに含まれる有害成分を除去するための反応室が少なくとも内部に収容されたケーシングと、前記ケーシング内の有害成分の濃度を検出する濃度計と、前記濃度計により検出された有害成分の濃度が所定の閾値を超えたときに報知を行うための報知部と、を備えたことを特徴とする。
【０００８】
このような脱臭装置によれば、ガスに含まれる有害成分を除去するための反応室が少なくとも内部に収容されたケーシング内の有害成分の濃度を濃度計により検出し、濃度計により検出された有害成分の濃度が所定の閾値を超えたときに作業者に対して報知を行うことにより、脱臭装置における反応室の収納ケース以外の箇所から有害成分を含む排気がリークした場合でもこのことを検出して作業者に報知することができる。
【０００９】
本発明の脱臭装置においては、前記濃度計は、前記ケーシング内の炭化水素成分の濃度を検出する炭化水素濃度計からなっていてもよい。
【００１０】
本発明の脱臭装置においては、前記濃度計は前記反応室の入口側または出口側に設けられていてもよい。
【００１１】
あるいは、前記濃度計は前記ケーシング内の各構成部材に対応して複数設けられていてもよい。
【００１２】
本発明の脱臭装置においては、前記報知部は音声または表示により聴覚的または視覚的に報知を行うようになっていてもよい。
【００１３】
本発明の脱臭装置においては、前記反応室内においてガスに触媒を接触させることにより当該ガスを酸化燃焼して有害成分を除去するようになっていてもよい。
【００１４】
本発明の脱臭方法は、ケーシングの内部に収容された反応室においてガスに含まれる有害成分を除去する工程と、前記ケーシング内の有害成分の濃度を検出するための濃度計により検出された有害成分の濃度が所定の閾値を超えたときに報知を行う工程と、を備えたことを特徴とする。
【００１５】
このような脱臭方法によれば、ケーシング内の有害成分の濃度を検出するための濃度計により検出された有害成分の濃度が所定の閾値を超えたときに報知を行うことにより、脱臭装置における反応室の収納ケース以外の箇所から有害成分を含む排気がリークした場合でもこのことを検出して作業者に報知することができる。
【００１６】
本発明の印刷システムは、印刷ユニットによりインキが表面に転写されたウエブに対して乾燥を行う乾燥装置が設けられた印刷機と、前記印刷機の前記乾燥装置から排気されるガスに含まれる有害成分を除去するための脱臭装置と、を備え、前記脱臭装置は、ガスに含まれる有害成分を除去するための反応室が少なくとも内部に収容されたケーシングと、前記ケーシング内の有害成分の濃度を検出する濃度計と、前記濃度計により検出された有害成分の濃度が所定の閾値を超えたときに報知を行うための報知部とを有していることを特徴とする。
【００１７】
このような印刷システムによれば、脱臭装置において、ガスに含まれる有害成分を除去するための反応室が少なくとも内部に収容されたケーシング内の有害成分の濃度を濃度計により検出し、濃度計により検出された有害成分の濃度が所定の閾値を超えたときに作業者に対して報知を行うことにより、脱臭装置における反応室の収納ケース以外の箇所から有害成分を含む排気がリークした場合でもこのことを検出して作業者に報知することができる。
【発明の効果】
【００１８】
本発明の脱臭装置、脱臭方法および印刷システムによれば、反応室の収納ケース以外の箇所から有害成分を含む排気がリークした場合でもこのことを検出して作業者に報知することができる。
【図面の簡単な説明】
【００１９】
【図１】本発明の実施の形態による脱臭装置の構成を概略的に示す概略構成図である。
【発明を実施するための形態】
【００２０】
以下、図面を参照して本発明の実施の形態について説明する。図１は、本実施の形態による脱臭装置の構成を概略的に示す概略構成図である。
【００２１】
グラビア印刷機やオフセット印刷機等の印刷機４０において、図示しない印刷ユニットによりインキが表面に転写されたウエブＷに対して乾燥装置４２により乾燥処理が行われるようになっている。このような乾燥装置４２から排気されるガスには有機溶剤等の有害成分が多く含まれるため、本実施の形態による脱臭装置１０によりこのような有害成分の除去が行われるようになっている。なお、本実施の形態では、このような脱臭装置１０および印刷機４０を組み合わせることにより本発明に係る印刷システムが構成されている。
【００２２】
図１に示すように、本実施の形態による脱臭装置１０は、フィルター１２、給気ファン１４、熱交換器１６、ガスバーナー１８および反応室２０を備えている。なお、これらのフィルター１２、給気ファン１４、熱交換器１６、ガスバーナー１８および反応室２０の各構成部材はケーシング３０の内部に配置されている。また、これらの各構成部材はダクトにより互いに連通可能に接続されている。このような脱臭装置１０の各構成部材の詳細について以下に説明する。
【００２３】
印刷機４０の乾燥装置４２から排気されたガスが脱臭装置１０に送られると、当該ガスがフィルター１２を通過することによりこのガスに含まれるダスト、ゴミ、サビ等が除去される。そして、フィルター１２を通過したガスは給気ファン１４により吸引される。その後、給気ファン１４からガスが熱交換器１６に送られると、当該ガスは反応室２０から送られた処理済みのガス（後述）の余熱により温められ、更にガスバーナー１８に送られることによりこのガスバーナー１８によって３８０℃前後まで予熱される。なお、図１に示すように、ガスバーナー１８には脱臭装置１０の外部から燃焼用ガスが燃焼用エアと混合した状態で送られるようになっており、このことによりガスバーナー１８は熱交換器１６から送られたガスを予熱するようになっている。
【００２４】
熱交換器１６およびガスバーナー１８により予熱されたガス（有害成分を含む排気）は反応室２０に送られるようになっている。反応室２０の内部には、前処理剤カセット２４および触媒カセット２６を収納したステンレス製の収納ケース２２が収容されており、ガスバーナー１８から反応室２０へ送られたガスはまず前処理剤カセット２４においてカーボンやタール等が除去される。その後、前処理剤カセット２４を通過したガスは、触媒カセット２６内で触媒マットとして存在する白金等の触媒と接触することにより酸化燃焼し、炭化水素を無臭無害の二酸化炭素と水蒸気とに分解する。なお、触媒マットとしては、パラジウムまたは白金等の活性金属を触媒として発泡金属に担持させたマット状のものからなる。また、触媒カセット２６内に設けられる触媒はマット状のものに限定されることはなく、ペレット状の触媒を用いてもよい。その後、反応室２０内で処理が行われたガスは熱交換器１６に送られ、上述したようにこの処理済みのガスにより給気ファン１４からガスバーナー１８へ送られるガス（有害成分を含む排気）が予熱される。その後、処理済みのガスは熱交換器１６から大気へ放出される。
【００２５】
また、本実施の形態の脱臭装置１０においては、ケーシング３０内の有害成分の濃度を検出するための濃度計３２として、ケーシング３０内の炭化水素成分の濃度を検出するための炭化水素濃度計３２ａが設けられている。このような炭化水素濃度計３２ａにより、脱臭装置１０が運転中のときにはケーシング３０内の有害成分の濃度が常にモニタリングされるようになっている。また、本実施の形態の脱臭装置１０には、作業者に対して報知を行うための報知部３４として警報器３４ａが設けられており、炭化水素濃度計３２ａによりケーシング３０内の炭化水素成分の濃度が所定の閾値を超えていることが検出されると当該炭化水素濃度計３２ａから警報器３４ａに検出信号が送られ、警報器３４ａは音声により作業者に対して警告を行うようになっている。なお、このような炭化水素濃度計３２ａは反応室２０の入口側または出口側に設けられていることが好ましい。この場合には、反応室２０の入口側または出口側において有害成分を含む排気が反応室２０や当該反応室２０に接続されたダクトからリークしたときに当該排気のリークをすぐに検出することができるようになる。
【００２６】
以上のような構成からなる本実施の形態の脱臭装置１０およびこのような脱臭装置１０および印刷機４０を備えた印刷システムによれば、反応室２０が少なくとも内部に収容されたケーシング３０内の有害成分の濃度を検出する濃度計３２、および濃度計３２により検出された有害成分の濃度が所定の閾値を超えたときに報知を行うための報知部３４がそれぞれ設けられているため、ケーシング３０内の有害成分の濃度を濃度計３２により検出し、当該濃度計３２により検出された有害成分の濃度が所定の閾値を超えたときに作業者に対して報知部３４によって報知を行うことにより、脱臭装置１０における反応室２０の収納ケース２２以外の箇所から有害成分を含む排気がリークした場合でもこのことを検出して作業者に報知することができる。
【００２７】
また、本実施の形態の脱臭装置１０においては、上述したように、濃度計３２は、ケーシング３０内の炭化水素成分の濃度を検出する炭化水素濃度計３２ａから構成されている。この場合には、脱臭装置１０において有害成分を含む排気がリークしたときにこの排気に含まれる炭化水素成分の濃度を炭化水素濃度計３２ａにより検出することによって当該排気のリークを検出することができるようになる。なお、本実施の形態では、濃度計３２は炭化水素濃度計３２ａに限定されることはなく、炭化水素成分以外の有害成分を検出する濃度計が用いられるようになっていてもよい。
【００２８】
また、本実施の形態の脱臭装置１０においては、上述したように、濃度計３２は反応室２０の入口側または出口側に設けられている。この場合には、反応室２０の入口側または出口側において有害成分を含む排気が反応室２０や当該反応室２０に接続されたダクトからリークしたときにこの排気のリークをすぐに検出することができるようになる。なお、濃度計３２の設置位置は反応室２０の入口側や出口側に限定されることはなく、ケーシング３０内であれば反応室２０の入口側や出口側以外の任意の箇所に濃度計３２を設置することができる。
【００２９】
また、本実施の形態の脱臭装置１０においては、濃度計３２はケーシング３０内の各構成部材（例えば、フィルター１２、給気ファン１４、熱交換器１６、ガスバーナー１８、反応室２０）の一部または全部に対応して複数設けられていてもよい。この場合には、ケーシング３０内に設置された複数の構成部材のうちどの構成部材から有害成分を含む排気がリークしているかをすぐに検出することができるようになる。
【００３０】
また、本実施の形態の脱臭装置１０においては、上述したように、報知部３４は警報器３４ａから構成されており、警報器３４ａとしての報知部３４は音声により作業者に対して聴覚的に報知を行うようになっている。なお、報知部３４は警報器３４ａに限定されることはなく、他の種類の報知部３４として例えば表示により作業者に対して視覚的に報知を行うようなモニタ等を用いてもよい。
【００３１】
また、本実施の形態の脱臭装置１０においては、上述したように、反応室２０内においてガスに触媒を接触させることにより当該ガスを酸化燃焼して有害成分を除去するようになっている。なお、反応室２０はこのような構成に限定されることはなく、有害物質を除去することができるのであればガスに触媒を接触させるような構成以外のものを用いてもよい。
【００３２】
本発明による脱臭装置やこのような脱臭装置による脱臭方法、このような脱臭装置および印刷機を備えた印刷システムは、上述したような構成のものに限定されることはなく、様々な変更を加えることができる。
【００３３】
例えば、ケーシング３０内に濃度計３２を設置する代わりに、あるいはケーシング３０内に濃度計３２を設置することに加えて、ケーシング３０内に煙検出器を設置し、ケーシング３０内の煙の濃度を当該煙検出器により検出するようにしてもよい。また、報知部３４は、煙検出器により検出された煙の濃度が所定の閾値を超えたときに作業者に対して音声または表示により聴覚的または視覚的に報知を行うようになっていてもよい。ケーシング３０内に煙検出器を設置した場合には、ケーシング３０内において印刷機４０の乾燥装置４２からの排気が各構成部材やダクト等からリークしたときに、当該排気に含まれる煙を煙検出器によって検出することにより、脱臭装置１０における反応室２０の収納ケース２２以外の箇所から有害成分を含む排気がリークした場合でもこのことを検出して作業者に報知することができるようになる。
【符号の説明】
【００３４】
１０    脱臭装置
１２    フィルター
１４    給気ファン
１６    熱交換器
１８    ガスバーナー
２０    反応室
２２    収納ケース
２４    前処理剤カセット
２６    触媒カセット
３０    ケーシング
３２    濃度計
３２ａ  炭化水素濃度計
３４    報知部
３４ａ  警報器
４０    印刷機
４２    乾燥装置
Ｗ      ウエブ
【図１】
2016083629.tif 000003